(57)【要約】      （修正有）【課題】高周波信号を無くすことにより電磁波による外乱を低減することができる変圧器を提供する。【解決手段】二つのネットワーク設備を電気的に連接して情報を伝送するためのものであり、変換ユニットと、複数の高周波信号減衰素子と、複数の高周波信号通路素子と、を含む電磁外乱低減用ネットワーク変圧器１において、変換ユニット１０は、前記一つのネットワーク設備の入力電力と入力情報とを受け出力電力と出力情報とにそれぞれ変換させ、高周波信号減衰素子３０は、変換ユニット１０と電気的に連接しており、前記出力情報と前記出力電力とを受け、前記出力情報と前記出力電力との高周波ノイズを減衰して他のネットワーク設備のロードに伝送させ、高周波信号通路素子４０は、高周波信号減衰素子３０と前記ロードとを連接する通路と並列接続しており、前記出力情報と前記出力電力との高周波信号を受け統合してアースさせる。【選択図】図２
0003148329.tif 000002
【実用新案登録請求の範囲】
【請求項１】
二つのネットワーク設備を電気的に連接して情報を伝送するためのものであり、変換ユニット１０と、複数の高周波信号減衰素子３０と、複数の高周波信号通路素子４０と、を含む電磁外乱低減用ネットワーク変圧器において、
前記変換ユニット１０は、前記一つのネットワーク設備の入力電力Ｓ１０と入力情報Ｓ１１とを取って出力電力Ｓ２０と出力情報Ｓ２１とにそれぞれ変換させ、
前記高周波信号減衰素子３０は、前記変換ユニット１０と電気的に連接しており、前記出力情報Ｓ２１と前記出力電力Ｓ２０とを取って、前記出力情報Ｓ２１と前記出力電力Ｓ２０との高周波ノイズを減衰して他のネットワーク設備のロードに伝送させ、
前記高周波信号通路素子４０は、前記高周波信号減衰素子３０と前記ロードとを連接する通路と並列接続しており、前記出力情報Ｓ２１と前記出力電力Ｓ２０との高周波信号Ｓ３０を取って統合してアースさせることを特徴とする
電磁外乱低減用ネットワーク変圧器。
【請求項２】
さらに、前記変換ユニット１０とこれらの前記高周波信号減衰素子３０とを連接するチョークコイル２０を含み、前記チョークコイル２０により前記出力電力Ｓ２０の交流電力が隔てられることを特徴とする、請求項１に記載の電磁外乱低減用ネットワーク変圧器。
【請求項３】
前記高周波信号減衰素子３０はインダクタンスであり、前記高周波信号通路素子４０はキャパシタであることを特徴とする、請求項１に記載の電磁外乱低減用ネットワーク変圧器。
【考案の詳細な説明】
【技術分野】
【０００１】
本考案は、ネットワーク変圧器に関し、特に、電磁外乱を低減するためのネットワーク変圧器に関するものである。
【背景技術】
【０００２】
一般に、ネットワーク変圧器は、ターミナル設備のインターフェースと、ネットワーク接収/発送チップと、の間に設けられ、内部の電界の結合を介して、情報がネットワークと接続している別の設備に伝送され、且つ内部のコイルにより信号が平滑され強化され、これにより、異なるネットワーク設備の相違する電圧又は電流がネットワークを通じてネットワーク設備を破壊することを防止することができる。
【０００３】
市販しているネットワーク変圧器１００の回路は、図１に示すように、変換ユニット２００と、前記変換ユニット２００と電気的に連接しているチョークコイル３００と、前記チョークコイル３００と電気的に連接している誘導コイル４００と、を含み、前記変換ユニット２００は、ネットワーク設備（図示せず）の入力電力Ｓ１００と入力情報Ｓ１０１とを取って出力電力Ｓ２００に変換して、前記誘導コイル４００で出力情報Ｓ２０１を発生し、このように、前記チョークコイル３００により、前記出力電力Ｓ２００の交流電力が隔てられ、そして出力情報Ｓ２０１が別のネットワーク設備（図示せず）に伝送され、これにより、情報の伝送と、電力の変換との目的を達成することができる。
【０００４】
しかしながら、従来のネットワーク変圧器１００によれば、出力電力Ｓ２００と出力情報Ｓ２０１との高周波信号を隔てることができず、電磁波による外乱が発生し易い。
【考案の開示】
【考案が解決しようとする課題】
【０００５】
本考案の主な目的は、高周波信号を無くすことにより電磁波による外乱を低減することができる電磁外乱低減用ネットワーク変圧器を提供することにある。
【課題を解決するための手段】
【０００６】
本考案の請求項１に記載の電磁外乱低減用ネットワーク変圧器によると、二つのネットワーク設備を電気的に連接して情報を伝送するためのものであり、変換ユニットと、複数の高周波信号減衰素子と、複数の高周波信号通路素子と、を含む電磁外乱低減用ネットワーク変圧器において、
前記変換ユニットは、前記一つのネットワーク設備の入力電力と入力情報とを取って出力電力と出力情報とにそれぞれ変換させ、
前記高周波信号減衰素子は、前記変換ユニットと電気的に連接しており、前記出力情報と前記出力電力とを取って、前記出力情報と前記出力電力との高周波ノイズを減衰して他のネットワーク設備のロードに伝送させ、
前記高周波信号通路素子は、前記高周波信号減衰素子と前記ロードの間に設けられており、前記出力情報と前記出力電力との高周波信号を取って統合してアースさせることを特徴とする電磁外乱低減用ネットワーク変圧器である。
【０００７】
本考案の請求項２に記載の電磁外乱低減用ネットワーク変圧器によると、さらに、前記変換ユニットとこれらの前記高周波信号減衰素子とを連接するチョークコイルを含み、前記チョークコイルにより前記出力電力の交流電力が隔てられる。
【０００８】
本考案の請求項３に記載の電磁外乱低減用ネットワーク変圧器によると、前記高周波信号減衰素子はインダクタンスであり、前記高周波信号通路素子はキャパシタである。
【考案の効果】
【０００９】
本考案の電磁外乱低減用ネットワーク変圧器によれば、高周波信号を無くすことにより電磁波による外乱を低減することができるという効果を有する。
【考案を実施するための最良の形態】
【００１０】
以下、本考案の実施の形態を図面に基づいて説明する。
【００１１】
（実施例１）
まず、図２を参照する。本考案の実施例１に係るネットワーク変圧器１は、変換ユニット１０と、複数の高周波信号減衰素子３０と、複数の高周波信号通路素子４０と、を含み、その両側には二つのネットワーク設備（図示せず）と連接し情報を伝送するための端子が複数に設けられており、前記変換ユニット１０は、前記一つのネットワーク設備（図示せず）の入力電力Ｓ１０と入力情報Ｓ１１とを取って出力電力Ｓ２０と出力情報Ｓ２１とにそれぞれ変換させ、なお、前記高周波信号減衰素子３０は、前記変換ユニット１０と電気的に連接しており、前記出力情報Ｓ２１と前記出力電力Ｓ２０とを取って、前記出力情報Ｓ２１と前記出力電力Ｓ２０との高周波ノイズを減衰して他のネットワーク設備（図示せず）のロードに伝送させ、また、前記高周波信号通路素子４０は、前記高周波信号減衰素子３０と前記ロードとを連接する通路と並列接続しており、前記出力情報Ｓ２１と前記出力電力Ｓ２０との高周波信号Ｓ３０を取って統合してアースさせる。このような構成によれば、電磁波による外乱を低減することができる。
【００１２】
本考案に係る変換ユニット１０は、一次側コイル１１と、二次側コイル１２と、を含み、前記一次側コイル１１が入力電力Ｓ１０と入力情報Ｓ１１とを取ると、前記二次側コイル１２で出力情報Ｓ２１と出力電力Ｓ２０とが発生されて高周波信号減衰素子３０に伝送され、本実施例では、前記高周波信号減衰素子３０がインダクタンスであり、インダクタンスにより出力情報Ｓ２１と出力電力Ｓ２０との高周波ノイズ（特に、３０MHz〜３GHz範囲の高周波ノイズ）が大幅に減衰され、高周波ノイズが大幅に減衰された出力情報Ｓ２１と出力電力Ｓ２０とが他のネットワーク設備のロードに伝送され、また、前記高周波信号通路素子４０は、前記高周波信号減衰素子３０と前記ロードとを連接する通路と並列接続しており、且つ前記ネットワーク変圧器１には、前記高周波信号通路素子４０と電気的に連接しているアース端子５０が設けられており、本実施例では、前記高周波信号通路素子４０は高周波でインピーダンスが低くなるキャパシタであり、だから、高周波ノイズが大幅に減衰された、出力情報Ｓ２１と出力電力Ｓ２０とが他のネットワーク設備のロードに伝送される前に、高周波信号Ｓ３０が前記高周波信号通路素子４０に伝送され、そうすると、高周波信号Ｓ３０が隔てられ、前記高周波信号通路素子４０を介して、出力情報Ｓ２１と出力電力Ｓ２０との高周波信号Ｓ３０が統合されてアースされる。
【００１３】
（実施例２）
また、図３を参照する。本考案の実施例２に係るネットワーク変圧器１は、さらに、前記変換ユニット１０とこれらの前記高周波信号減衰素子３０とを連接するチョークコイル２０を含み、入力電力Ｓ１０と入力情報Ｓ１１とが前記変換ユニット１０の一次側コイル１１に入力されて、二次側コイル１２で出力電力Ｓ２０と出力情報Ｓ２１とが発生されて前記チョークコイル２０に伝送され、前記チョークコイル２０により前記出力電力Ｓ２０の交流電力が隔てられ、その後、出力電力Ｓ２０と出力情報Ｓ２１とは、前記高周波信号減衰素子３０を経由しその高周波ノイズが低減されて、他のネットワーク設備のロードに伝送され、且つ前記高周波信号通路素子４０により、出力電力Ｓ２０と出力情報Ｓ２１との高周波信号Ｓ３０が統合されてアース端子５０に伝送され、そうすると、高周波信号Ｓ３０が隔てられるようになる。
【００１４】
なお、本考案は前記実施の形態に限定されるものではなく、本考案の趣旨に基づいて種々変形させることが可能であり、それらを本考案の範囲から排除するものではない。
【図面の簡単な説明】
【００１５】
【図１】従来のネットワーク変圧器の回路を示す模式図である。
【図２】本考案の実施例１に係るネットワーク変圧器の回路を示す模式図である。
【図３】本考案の実施例２に係るネットワーク変圧器の回路を示す模式図である。
【符号の説明】
【００１６】
１：ネットワーク変圧器、１０：変換ユニット、１１：一次側コイル、１２：二次側コイル、２０：チョークコイル、３０：高周波信号減衰素子、４０：高周波信号通路素子、１００：ネットワーク変圧器、２００：変換ユニット、３００：チョークコイル、４００：誘導コイル、Ｓ１０：入力電力、Ｓ１１：入力情報、Ｓ２０：出力電力、Ｓ２１：出力情報、Ｓ３０：高周波信号、Ｓ１００：入力電力、Ｓ１０１：入力情報、Ｓ２００：出力電力、Ｓ２０１：出力情報。
【図１】
0003148329.tif 000003
【図２】
0003148329.tif 000004
【図３】
0003148329.tif 000005